(57)【要約】【課題】ダンボール箱の内部に個々に収納されたロール巻シート部材を、多くの手間を要することなく容易に取り出すことのできるダンボール包装体を提供する。【解決手段】六面体形状のダンボール箱１１に、ロール巻シートの中心部に中空部１４ｂが形成されるロール巻シート部材１４を収納したダンボール包装体１０であって、ロール巻シート部材１４は、ダンボール箱１１の一方の対向する側壁板１５の間隔と略同様の軸方向の長さを備えると共に、ダンボール箱１１の他方の対向する側壁板１６の間隔と略同様の外径を備えていて、両側の端面１４ａを一方の対向する側壁板１５に各々近接させた状態で収納されている。ダンボール箱１１の一方の対向する側壁板１５には、これらの上縁部１５ａの両端からＶ字形状に下方に延設する易破断線１７が、下端部分１７ａを収納されたロール巻シート部材１４の芯材１２の中心部分を越える下部領域に配設して設けられている。【選択図】図１
0003154979.tif 000002
【実用新案登録請求の範囲】
【請求項１】
六面体形状のダンボール箱に、シート材料がロール状に巻かれて、ロール巻シートの中心部に中空部が形成されるロール巻シート部材を収納してなるダンボール包装体であって、
前記ロール巻シート部材は、前記ダンボール箱の一方の対向する側壁板の間隔と略同様の軸方向の長さを備えると共に、前記ダンボール箱の他方の対向する側壁板の間隔と略同様の外径を備えていて、両側の端面を前記一方の対向する側壁板に各々近接させた状態で収納されており、
前記ダンボール箱の前記一方の対向する側壁板には、これらの上縁部の両端部分からＵ字形状又はＶ字形状に下方に延設する易破断線が、その下端部分を収納された前記ロール巻シート部材の前記中空部の中心部分を越える下部領域に配設して各々設けられているダンボール包装体。
【請求項２】
前記一方の対向する側壁板の上縁部に連設するフラップ板に、抜き孔が開口形成されている請求項１記載のダンボール包装体。
【請求項３】
前記一方の対向する側壁板に設けられた前記易破断線の内側領域に、抜き孔が開口形成されている請求項１記載のダンボール包装体。
【請求項４】
前記ロール巻シート部材の両側の端面と前記一方の対向する側壁板との双方の間又はいずれか一方の間に介在して、固定補助用ダンボール板が挿入配置されている請求項１〜３のいずれかに記載のダンボール包装体。
【考案の詳細な説明】
【技術分野】
【０００１】
本考案は、ダンボール包装体に関し、特に、六面体形状のダンボール箱に、ロール巻シートの中心部に中空部が形成されるロール巻シート部材を収納してなるダンボール包装体に関する。
【背景技術】
【０００２】
各種の日用雑貨品や、家電製品等の物品を収納するための包装箱として、ダンボール箱が多用されている。これらのダンボール箱は、平坦なシート状のダンボール板に切断加工や折曲げ加工等を施すと共に、必要に応じて接着剤等による接合手段を使用して、直方体形状や正六面体形状等の六面体の立体形状に組み立てられる。また、収納物の取り出しを容易に行えるようにするために、ダンボール箱の所定の箇所にミシン目等からなる易破断線を設けて破断させることで、大きな取出し開口を形成できるようにしたものも開発されている（例えば、特許文献１、特許文献２参照）。
【先行技術文献】
【特許文献】
【０００３】
【特許文献１】登録実用新案第３０１９０７１号公報
【特許文献２】特開平９−１４２４４３号公報
【考案の概要】
【考案が解決しようとする課題】
【０００４】
一方、農業用や工業用の資材として、シート材料（フィルム材料）がロール状に巻かれて形成されるロール巻シート部材が用いられる場合がある。また、これらのロール巻シート部材を、例えば製造工場からユーザーに納入して使用されるまでの間、傷つけたり損傷を与えたりすることなく安定した状態で収納しておくことが可能な簡易且つ取り扱いに便利な包装形態として、ダンボール箱にロール巻シート部材を収納したダンボール包装体が採用される場合がある。すなわち、農業用や工業用に用いるロール巻シート部材は、例えば２０ｋｇ程度の相当の重さを有していると共に、円柱又は円筒形状を有しており、これの外周面を六面体形状のダンボール箱の内周面に接触又は近接させた状態で個々に収納することにより、ダンボール箱の内部におけるロール巻シート部材の動きを制限して、ロール巻シート部材を安定した状態で搬送したり取り扱ったりすることが可能になる。
【０００５】
しかしながら、これらの六面体形状のダンボール箱にロール巻シート部材を収納してなるダンボール包装体では、ダンボール箱の内部に相当の重さを有するロール巻シート部材が僅かな隙間を残して個々に収納されていることから、例えばユーザーに納入された後、使用に際してダンボール箱からロール巻シート部材を取り出す作業に手間がかかることになる。
【０００６】
本考案は、ダンボール箱の内部に個々に収納されたロール巻シート部材を、多くの手間を要することなく、ダンボール箱から容易に取り出すことのできるダンボール包装体を提供することを目的とする。
【課題を解決するための手段】
【０００７】
本考案は、六面体形状のダンボール箱に、シート材料がロール状に巻かれて、ロール巻シートの中心部に中空部が形成されるロール巻シート部材を収納してなるダンボール包装体であって、前記ロール巻シート部材は、前記ダンボール箱の一方の対向する側壁板の間隔と略同様の軸方向の長さを備えると共に、前記ダンボール箱の他方の対向する側壁板の間隔と略同様の外径を備えていて、両側の端面を前記一方の対向する側壁板に各々近接させた状態で収納されており、前記ダンボール箱の前記一方の対向する側壁板には、これらの上縁部の両端部分からＵ字形状又はＶ字形状に下方に延設する易破断線が、その下端部分を収納された前記ロール巻シート部材の前記中空部の中心部分を越える下部領域に配設して各々設けられているダンボール包装体を提供することにより、上記目的を達成したものである。
【０００８】
そして、本考案のダンボール包装体は、前記一方の対向する側壁板の上縁部に連設するフラップ板に、指や手を挿入可能な大きさの抜き孔が開口形成されていることが好ましい。
【０００９】
また、本考案のダンボール包装体は、前記一方の対向する側壁板に設けられた前記易破断線の内側領域に、指や手を挿入可能な大きさの抜き孔が開口形成されていることが好ましい。
【００１０】
さらに、本考案のダンボール包装体は、前記ロール巻シート部材の両側の端面と前記一方の対向する側壁板との双方の間又はいずれか一方の間に介在して、固定補助用ダンボール板が挿入配置されていることが好ましい。
【考案の効果】
【００１１】
本考案のダンボール包装体によれば、ダンボール箱の内部に個々に収納されたロール巻シート部材を、多くの手間を要することなく、ダンボール箱から容易に取り出すことができる。
【図面の簡単な説明】
【００１２】
【図１】本考案の好ましい一実施形態に係るダンボール包装体の構成を説明する斜視図である。
【図２】本考案の好ましい一実施形態に係るダンボール包装体の構成を説明する斜視図である。
【図３】ダンボール箱を形成する板紙の形状を説明する平面図である。
【図４】ダンボール箱からロール巻シート部材を取り出す状況を説明する斜視図である。
【図５】ダンボール箱からロール巻シート部材を取り出す状況を説明する斜視図である。
【図６】ダンボール箱の側壁板とロール巻シート部材の端面との間に固定補助用ダンボール板を挿入配置した状態を説明する斜視図である。
【図７】本考案の好ましい他の実施形態に係るダンボール包装体の構成を説明する斜視図である。
【図８】（ａ）〜（ｄ）は、側壁版に設けられた易破断線の他の形態を例示する略示正面図である。
【図９】（ａ）〜（ｆ）は、抜き孔の他の形態を例示する略示正面図である。
【考案を実施するための形態】
【００１３】
図１及び図２に示す本考案の好ましい一実施形態に係るダンボール包装体１０は、六面体形状（直方体形状）のダンボール箱１１に、収納物として、例えば芯材１２にシート材料１３をロール状に巻き付けて形成されるロール巻シート部材１４を、１体ずつ個々に収納して構成されるものである。シート材料としては、合成樹脂製のフィルム材料などが挙げられるが、これに限定されるものではない。本実施形態では、ロール巻シート部材１４は、例えば農業用に用いるシート材料１３として、合成樹脂製フィルムを円筒形状の芯材１２に巻き付けて形成されるものであり、例えば２０ｋｇ程度の相当の重さを有している。本実施形態のダンボール包装体１０は、このような相当の重さを有する円柱形状又は円筒形状のロール巻シート部材１４を、動きが抑制された安定した状態でダンボール箱１１の内部に収納して、収納したロール巻シート部材１４の損傷を効果的に防止すると共に、搬送や取り扱いを容易にし、且つ使用時にロール巻シート部材１４をダンボール箱１１から容易に取り出すことができるようにする機能を備えている。
【００１４】
そして、本実施形態のダンボール包装体１０は、六面体形状のダンボール箱１１に、円筒形状の芯材１２にシート材料１３がロール状に巻かれて、ロール巻シートの中心部に中空部１４ｂが形成されるロール巻シート部材１４を収納してなる包装体であって、ロール巻シート部材１４は、ダンボール箱１１の一方の対向する一対の側壁板１５の間隔と略同様の軸方向の長さを備えると共に、ダンボール箱１１の他方の対向する一対の側壁板１６の間隔と略同様の外径を備えていて、両側の端面１４ａを一方の対向する側壁板１５に各々近接させた状態で収納されており、ダンボール箱１１の一方の対向する側壁板１５には、これらの上縁部１５ａの両端部分からＵ字形状又はＶ字形状に下方に延設する易破断線１７が、その下端部分１７ａを収納されたロール巻シート部材１４の中空部１４ｂの中心部分を越える下部領域に配設して各々設けられている。
【００１５】
また、本実施形態では、ダンボール箱１１の一方の対向する一対の側壁板１５の上縁部１５ａに連設して、上面第１フラップ板１８が各々設けられており、これらの第１上面フラップ板１８には、指や手を挿入可能な大きさの抜き孔２４が各々開口形成されている。
【００１６】
［ダンボール箱］
本実施形態では、ダンボール包装体１０を構成するダンボール箱１１は、例えば図３に示すような所定の平面形状を有するように裁断されたシート状の平坦な１枚のダンボール板２０を、複数の折曲げ線２０ａ〜２０ｆを介して折り曲げると共に、必要に応じて接着剤や粘着テー等の接合手段を用いることにより、図２に示すように、４方の側面部２１と、底面部２２と、上面部２３とからなる、例えば幅Ｂが２１〜３２ｃｍ程度、長さＬが５４〜１０４ｃｍ程度、高さＨが２１〜３２ｃｍ程度の大きさの、直方体形状を有するように組み立てられる。
【００１７】
本実施形態では、ダンボール板２０は、図３に示すように、一方の一対の側壁板１５と、他方の一対の側壁板１６とを交互に横方向に連設配置すると共に、各側壁板１５，１６の上縁部１５ａ，１６ａに上面フラップ板１８，１９を各々連設配置し、且つ各側壁板１５，１６の下縁部１５ｂ，１６ｂに下面フラップ板２５，２６を各々連設配置した形状を備えている。
【００１８】
すなわち、一方の一対の略正方形形状の側壁板１５と、他方の一対の矩形形状の側壁板１６とが、３箇所の第１折曲げ線２０ａを介して横方向に交互に連設配置されている。また、一方の一対の側壁板１５の上縁部１５ａには、第２折曲げ線２０ｂを介して矩形形状の第１上面フラップ板１８が各々連設配置されていると共に、他方の一対の側壁板１６の上縁部１６ａには、第３折曲げ線２０ｃを介して矩形形状の第２上面フラップ板１９が各々連設配置されている。さらに、一方の一対の側壁板１５の下縁部１５ｂには、第４折曲げ線２０ｄを介して矩形形状の第１下面フラップ板２５が各々連設配置されていると共に、他方の一対の側壁板１６の下縁部１６ｂには、第５折曲げ線２０ｅを介して矩形形状の第２下面フラップ板２６が各々連設配置されている。
【００１９】
さらにまた、本実施形態では、図３における左端に配置された他方の側壁板１６の側縁部１６ｃには、第６折曲げ線２０ｆを介して縦長帯板形状の接合フラップ片２７が連設配置されている。
【００２０】
そして、本実施形態では、一方の一対の側壁板１５には、これらの上縁部１５ａの両端部分からＶ字形状に下方に延設する易破断線１７が設けられている。易破断線１７は、例えばミシン目等からなり、側壁板１５の上縁部１５ａの両端から、当該上縁部１５ａを底辺とすると共に円弧状に湾曲する頂部を有する、倒立した略２等辺三角形を描くように設けられる。また易破断線１７は、その円弧状に湾曲する頂部が、側壁板１５の下部の略１／３の領域に食い込んで配置されることにより、ダンボール板２０が箱状に組み立てられてロール巻シート部材１４が収納された際に、Ｖ字形状の易破断線１７の頂部による下端部分１７ａが、収納されたロール巻シート部材１４の中心部に形成された、円筒状の芯材１２による中空部１４ｂを越える下部領域に配設されることになる（図１参照）。
【００２１】
また、本実施形態では、一方の一対の側壁板１５の上縁部１５ａに連設する上面第１フラップ板１８には、抜き孔２４が各々開口形成されている。本実施形態では、抜き孔２４は、横長の長円形状に形成されていて、作業員の指や手を容易に挿入可能な形状、大きさとなっており、上面第１フラップ板１８の中央部分からやや下側に片寄った位置に設けられている。抜き孔２４が設けられていることにより、後述する易破断線１７に沿って側壁板１５を破断する操作を行い易くすることができるようになっている。
【００２２】
［ロール巻シート部材］
ダンボール箱１１に収納されてダンボール箱１１と共にダンボール包装体１０を構成するロール巻シート部材１４は、本実施形態では、図１及び図２に示すように、厚紙製又は合成樹脂製の円筒形状の芯材１２に、シート材料１３として例えば農業用に用いるプラスチックフィルムを、多数回、ロール状に巻き付けることによって製品化されたものであり、例えば２０ｋｇ程度の相当の重さを有している。尚、図１及び図２においては芯材１２を用いて中空部１４ｂを形成する形態を示したが、本発明のロール巻シート部材は、これに限定されるものではない。例えば、芯材１２を用いることなく中心部が中空となっている、いわゆる無芯ロール巻シート材料でも良い。またロール巻シート部材１４は、ダンボール箱１１の長さＬよりも僅かに短い５０〜１００ｃｍ程度の軸方向の長さを有すると共に、ダンボール箱１１の幅Ｂ及び高さＨよりも僅かに小さな２０〜３０ｃｍ程度の外径を有する、円柱形状又は円筒形状に形成されている。これによってロール巻シート部材１４は、両側の端面１４ａを、ダンボール箱１１の一方の対向する一対の側壁板１５に各々接触又は近接させると共に、外周面をダンボール箱１１の内側面に接触又は近接させた状態で、ダンボール箱１１の内部に収納されることになる。
【００２３】
［ダンボール包装体］
本実施形態のダンボール包装体１０は、例えば製造工場等において、以下のようにして容易に形成することができる。すなわち、図３に示すダンボール板２０の側壁板１５，１６を、３箇所の第１折曲げ線２０ａを介して折り曲げると共に、接合フラップ片２７を第６折曲げ線２０ｆを介して折り曲げて、当該接合フラップ片２７を一方の側壁板１５の側縁部に接着剤等を介して接合することにより、一方の一対の側壁板１５と他方の一対の側壁板１６とを連続する環状に配置する。また、一方の側壁板１５の下縁部１５ｂに連設する第１下面フラップ板２５と、他方の側壁板１６の下縁部１６ｂに連設する第２下面フラップ板２６とを、第２下面フラップ板２６を第１下面フラップ板２５の外側に重ね合わせるようにして、第４折曲げ線２０ｄや第５折曲げ線２０ｅを介して折り曲げると共に、折り曲げたこれらの下面フラップ板２５，２６を接着剤や粘着テープ等を介して接合することにより、ダンボール箱１１の底面部２２を形成する。
【００２４】
［ロール巻シート部材のダンボール包装体への収納］
しかる後に、図１に示すように、一方の対向する一対の側壁板１５と他方の対向する一対の側壁板１６とを４方の側面部２１とする、底面部２２が形成されたダンボール箱１１の内部に、ロール巻シート部材１４を、両側の端面１４ａを一方の対向する側壁板１５の内側面に沿わせるようにして上方から収納する。さらに、収納したロール巻シート部材１４を上方から覆うようにして、一方の側壁板１５の上縁部１５ａに連設する第１上面フラップ板１８と、他方の側壁板１６の上縁部１６ａに連設する第２上面フラップ板１９とを、第２上面フラップ板１９を第１上面フラップ板１８の外側に重ね合わせるようにして、第２折曲げ線２０ｂや第３折曲げ線２０ｃを介して折り曲げると共に、折り曲げたこれらの上面フラップ板１８，１９を接着剤や粘着テープ等を介して接合することにより、ダンボール箱１１の上面部２３を形成することで、図２に示すように、本実施形態のダンボール包装体１０が得られることになる。
【００２５】
このようにして得られた本実施形態のダンボール包装体１０では、ロール巻シート部材１４は、両側の端面１４ａを、ダンボール箱１１の一方の対向する一対の側壁板１５の内側面に各々接触又は近接させると共に、外周面を、ダンボール箱１１の他方の対向する一対の側壁板１６や上面部２３の内側面に接触又は近接させた状態で、ダンボール箱１１の内部に収納されるので、ダンボール箱１１の内部におけるロール巻シート部材１４の動きを制限して、ロール巻シート部材１４を安定した状態で搬送したり取り扱ったりすることが可能になると共に、ロール巻シート部材１４が傷つけたり損傷したりするのを効果的に回避することが可能になる。
【００２６】
また、本実施形態では、図６に示すように、ロール巻シート部材１４の両側の端面１４ａと一方の対向する側壁板１５との双方の間又はいずれか一方の間に介在して、固定補助用ダンボール板２８を挿入配置しておくこともできる。ロール巻シート部材１４の端面１４ａと側壁板１５との間に固定補助用ダンボール板２８を挿入配置することにより、ダンボール箱１１の内部にロール巻シート部材１４を固定した状態で収納しておくことが可能になり、これによってロール巻シート部材１４をさらに安定した状態で搬送したり取り扱ったりすることが可能になる。
【００２７】
［ロール巻シート部材のダンボール包装体からの取出し］
そして、本実施形態のダンボール包装体１０に収納されたロール巻シート部材１４が使用される際には、図４及び図５に示すように、ダンボール箱１１の上面部２３を構成する第２上面フラップ板１９や第１上面フラップ板１８を開放して取出し開口を形成すると共に、好ましくは第１上面フラップ板１８に形成された抜き孔２４に指や手を挿入係止して、易破断線１７に沿って側壁板１５を破断すれば、易破断線１７の内側の部分の側壁板１５が取り除かれて、ロール巻シート部材１４の芯材１２による中空部１４ｂが臨むことになるので、この中空部１４ｂを介してロール巻シート部材１４をダンボール箱１１から取り出すことで、ロール巻シート部材１４を容易且つスムーズに使用に供することが可能になる。尚、上記で述べた固定補助用ダンボール板２８を挿入配置した形態においては、ダンボール箱１１の上面部２３を構成する第２上面フラップ板１９や第１上面フラップ板１８を開放した後、ロール巻シート部材１４をダンボール箱１１から取り出す前に固定補助用ダンボール板２８が取り除かれる。
【００２８】
すなわち、本実施形態のダンボール包装体１０によれば、ダンボール箱１１の内部に個々に収納されたロール巻シート部材１４を、多くの手間を要することなく、ダンボール箱１１から容易に取り出すことが可能になる。
【００２９】
図７は、本発明の他の実施形態に係るダンボール包装体３０を示すものである。図７に示すダンボール包装体３０は、一方の一対の側壁板１５に設けられた易破断線１７の形態が相違している他は、上記実施形態のダンボール包装体１０と同様の構成を備えている。すなわち、図７に示すダンボール包装体３０では、易破断線１７は、側壁板１５の上縁部１５ａの両端から、当該上縁部１５ａを底辺とすると共に角部が円弧状に湾曲する、倒立した略等脚台形を描くようにＵ字形状に設けられ、その下端部分１７ａである倒立状態の上辺部分が、収納されたロール巻シート部材１４の芯材１２による中空部１４ｂを越える下部領域として、側壁板１５の下縁部１５ｂに沿った位置に配設されるようになっている。また、横長の長円形状の抜き孔２４が、一方の一対の側壁板１５に設けられた易破断線１７によって囲まれる、これの内側領域に設けられている。
【００３０】
図７に示すダンボール包装体３０によっても、ロール巻シート部材１４を使用する際に、好ましくは抜き孔２４に指や手を挿入係止して、易破断線１７に沿って側壁板１５を破断することで側壁板１５にロール巻シート部材１４の中空部１４ｂを臨ませて、ロール巻シート部材１４を取り出しやすくすることにより、上記実施形態のダンボール包装体１０と同様の作用効果を奏することになる。
【００３１】
なお、本考案は上記各実施形態に限定されることなく種々の変更が可能である。例えば、一方の対向する側壁板やこれの上縁部に連設するフラップ板に、抜き孔を設けておく必要は必ずしもなく、抜き孔を介することなく、他の部分を把持して易破断線に沿って側壁板を破断することもできる。また、ダンボール箱に収納されるロール巻シート部材は、芯材にシート部材としてプラスチックフィルムを巻き付けたものである必要は必ずしもなく、紙製等のその他のシート部材を巻き付けたものであっても良い。芯材は、円筒状の芯材以外のその他の種々の形状のものを用いることができ、中実のものであっても良い。ダンボール箱は、正六面体形状に組み立てられたものであっても良く、ロール巻シート部材の端面が近接して配置される一方の対向する側壁板は、直方体形状の長手方向に沿った側壁板であっても良い。さらに、易破断線は、ミシン目の他、カットテープ式の破断線等の、ダンボール板の破断を容易にするその他の種々の易破断線であっても良い。
【００３２】
また、一方の対向する側壁板１５に設けられる易破断線１７は、図８（ａ）〜（ｄ）に示すようなＵ字形状又はＶ字形状のものであっても良く、抜き孔２４は、図９（ａ）〜（ｆ）に示すような形状のものであっても良い。また、図９においてはダンボール包装体１０の形状を例に記載しているが、図７で示したＵ字形状のダンボール包装体３０であっても良い。図９（ｄ）〜（ｆ）に示す形状においては、抜き孔は易破断線の内側領域のＵ字形状又はＶ字形状に近い下方に開口形成されている。この場合、抜き孔２４に指や手を挿入係止した後、易破断線１７に沿って下方から上方に向かって側壁板１５をフラップ板１８とともに破断する。また、抜き孔は、上記で述べたとおり最初から開口されていても良い。別の形態としては、開口に沿って易破断線が設けられ、両側の端面に設けられたＵ字形状又はＶ字形状の易破断線部分を断線する前に、開口に沿って設けられた易破断線を断線し抜き孔を設けても良い。また、ダンボールの側壁板１５には、ダンボールを運搬するための取っ手（図示しない）を設けることができる。
【符号の説明】
【００３３】
１０，３０  ダンボール包装体
１１  ダンボール箱
１２  芯材
１３  シート材料
１４  ロール巻シート部材
１４ａ  ロール巻シート部材の端面
１４ｂ  ロール巻シート部材の中空部
１５  一方の対向する側壁板
１６  他方の対向する側壁板
１７  易破断線
１７ａ  易破断線の下端部分
１８  上面第１フラップ板
１９  上面第２フラップ板
２０  ダンボール板
２１  側面部
２２  底面部
２３  上面部
２４  抜き孔
２８  固定補助用ダンボール板
【図１】
0003154979.tif 000003
【図２】
0003154979.tif 000004
【図３】
0003154979.tif 000005
【図４】
0003154979.tif 000006
【図５】
0003154979.tif 000007
【図６】
0003154979.tif 000008
【図７】
0003154979.tif 000009
【図８】
0003154979.tif 000010
【図９】
0003154979.tif 000011